(57)【要約】  【課題】着用に当たり、ウエスト開口部を拡げ上側から脚開口部を見た時、脚開口部が大きく開口するようにし、足を通し易くするとともに、締め付け過ぎによる脇部での各種スキントラブルを解消する。  【解決手段】製品状態で前記外装シート２０の前身頃Ｆと後身頃Ｂとが両側部において接合されることによってウエスト開口部及び左右一対の脚開口部が形成されたパンツ型使い捨て紙おむつにおいて、前記腰回り弾性部材２５…、２６…及び脚回り弾性部材２７…，２８…は、前記前身頃Ｆと後身頃Ｂとが接合されている両側の接合部まで延長されておらず、前記接合部から内方側方向に所定幅の領域において前記腰回り弾性部材２５…、２６…及び脚回り弾性部材２７…，２８…による伸縮性が付与されていない構造とする。【選択図】図１
2005278774.tif 000002
【特許請求の範囲】
【請求項１】
吸収体を含む吸収性本体と、この吸収性本体の外面側に一体的に設けられる外装シートとからなり、前記外装シートは少なくとも前身頃及び／又は後身頃に水平方向に沿って配設された複数本の腰回り弾性部材と、脚回り部位に沿って配設された１または複数の脚回り弾性部材とを有し、製品状態で前記外装シートの前身頃と後身頃とが両側部において接合されることによってウエスト開口部及び左右一対の脚開口部が形成されたパンツ型使い捨て紙おむつにおいて、
前記腰回り弾性部材及び脚回り弾性部材は、前記前身頃と後身頃とが接合されている両側の接合部まで延長されておらず、前記接合部から内方側方向に所定幅の領域において前記腰回り弾性部材及び脚回り弾性部材による伸縮性が付与されていないことを特徴とするパンツ型使い捨て紙おむつ。
【請求項２】
前記腰回り弾性部材及び脚回り弾性部材による伸縮性が付与されていない領域は、前記接合部内縁から内方側方向に少なくとも１cm以上の範囲とする請求項１記載のパンツ型使い捨て紙おむつ。
【請求項３】
前記腰回り弾性部材及び脚回り弾性部材による伸縮性が付与されていない領域は、前記接合部内縁から内方側方向に最大でも脚開口部内側縁位置までの範囲とする請求項１、２いずれかに記載のパンツ型使い捨て紙おむつ。
【請求項４】
前記請求項１〜３いずれかに記載のパンツ型使い捨て紙おむつの製造方法であって、前記外装シートの製作時に、前記腰回り弾性部材及び脚回り弾性部材を前身頃および後身頃の両側縁部まで到達させて配設した後、伸縮性を与えない領域の弾性部材を切断することを特徴とするパンツ型使い捨て紙おむつの製造方法。
【請求項５】
前記腰回り弾性部材及び脚回り弾性部材の切断は、突起部に切断部領域に対応させて多数の凸部が形成されたエンボスロールカッターと、対向ロールとの間に外装シートを挿入し、伸縮性を与えない領域において前記腰回り弾性部材及び脚回り弾性部材を前記凸部によって細かく切断するようにする請求項４記載のパンツ型使い捨て紙おむつの製造方法。
【発明の詳細な説明】
【技術分野】
【０００１】
本発明は、着用し易いとともに、締め付けによる跡付き等のスキントラブルが解消されたパンツ型使い捨て紙おむつ及びその製造方法に関する。
【背景技術】
【０００２】
従来より、おむつ離れを促進する、或いはその都度止着テープを用いての装着作業から大人を解放し、装着を簡便化するなどの目的のために、パンツ型使い捨て紙おむつがテープ型使い捨て紙おむつと共に市場に提供されている。
【０００３】
本出願人も下記特許文献１、下記特許文献２などにおいて、パンツ型使い捨て紙おむつを提案した。前者の特許文献１において提案したパンツ型使い捨て紙おむつを例に採って説明すれば、このパンツ型使い捨て紙おむつは、図１０に示されるように、透液性トップシート５２と、ポリエチレン等からなる不透液性バックシート５３と、これら両シート間に介在された吸収体５４とからなる吸収性本体５０の外面側に外装シート５１を設けた構造のものである。
【０００４】
前記外装シート５１は、表面バックシート５５と裏面バックシート５６との二層構造となっており、これら両シート間５５，５６には、紙おむつの腰部開口部を封止するウエスト部弾性部材５７…、５８…が配設されるとともに、前身頃および後身頃のそれぞれにずり落ちを防止するとともに、フィット性を確保するために腰回り弾性部材５９…、６０…、並びに脚回りのフィット性を確保するために脚回りに沿って脚回り弾性部材６１…、６２…とが設けられている。一方の脚回り弾性部材６１…は、前身頃側端から股間部を巡って他方の脚回りの前身頃側端に連続して配設された１または複数の弾性部材であり、他方の脚回り弾性部材６２…は、脚回りの後身頃側端から股間部を巡って他方の脚回りの後身頃側端に連続して配設された１または複数の弾性部材である。紙おむつの股間部位では、前記脚回り弾性部材６１、…と、脚回り弾性部材６２、…とは、交差することなく接近しながら紙おむつの幅方向に沿って配設されている。
【０００５】
他方、前記吸収性本体５０は、外面側に塗布されたホットメルト接着剤によって外装シート５１に接着固定されて一体化されている。前述の紙おむつは、略中央の折り畳みラインＬにて前身頃と後身頃を重ね合わせ、その両側縁部を熱シール、超音波溶接法等の溶着方法によって接合することによってウエスト開口部と左右一対の脚開口部が形成されたパンツ型に成形されている。
【特許文献１】特開平１０−１２７６８７号公報
【特許文献２】特開平１１−１２８２６７号公報
【発明の開示】
【発明が解決しようとする課題】
【０００６】
しかしながら、前記パンツ型使い捨て紙おむつの場合には、上述したように種々の弾性部材を配設することでフィット性は確保できるけれども、その一方で図１１に示されるように、前記腰回り弾性部材５９，６０と脚回り弾性部材６１、６２の収縮により脚開口部が小さく閉ざされてしまうことになっていた。このため、脚開口部の水平距離Ｌｗが狭くなり、着用する際、ウエスト開口部を拡げ上側から脚開口部を見た時に、脚開口部が小さく見えるため、足を通しづらい、脚開口部に通すときに足の指が立体ギャザーや平面ギャザーに引っ掛かることがあるなどの問題があった。
【０００７】
また、前記腰回り弾性部材５９，６０と脚回り弾性部材６１，６２の伸縮性により腰回りが締め付けられるため、脇部に弾性部材による締め付け跡が残ったり、汗疹、肌荒れ等のスキントラブルが生ずる問題があった。
【０００８】
そこで、本発明の主たる課題は、着用に当たり、ウエスト開口部を拡げ上側から脚開口部を見た時、脚開口部が大きく開口するようにし、足を通し易くするとともに、締め付け過ぎによる脇部での各種スキントラブルを解消するようにしたパンツ型使い捨て紙おむつ及びその製造方法を提供することにある。
【課題を解決するための手段】
【０００９】
前記課題を解決するために請求項１に係る本発明として、吸収体を含む吸収性本体と、この吸収性本体の外面側に一体的に設けられる外装シートとからなり、前記外装シートは少なくとも前身頃及び／又は後身頃に水平方向に沿って配設された複数本の腰回り弾性部材と、脚回り部位に沿って配設された１または複数の脚回り弾性部材とを有し、製品状態で前記外装シートの前身頃と後身頃とが両側部において接合されることによってウエスト開口部及び左右一対の脚開口部が形成されたパンツ型使い捨て紙おむつにおいて、
前記腰回り弾性部材及び脚回り弾性部材は、前記前身頃と後身頃とが接合されている両側の接合部まで延長されておらず、前記接合部から内方側方向に所定幅の領域において前記腰回り弾性部材及び脚回り弾性部材による伸縮性が付与されていないことを特徴とするパンツ型使い捨て紙おむつが提供される。
【００１０】
上記請求項１記載の本発明においては、腰回り弾性部材及び脚回り弾性部材は、前記前身頃および後身頃の両側部の接合部まで延長されておらず、前記接合部から内方側方向に所定幅の領域において前記腰回り弾性部材及び脚回り弾性部材による伸縮性が付与されていない構造とした。従って、着用に当たり、ウエスト開口部を拡げ上側から脚開口部を見た時に、脚開口部が大きく開口した状態となるため、脚開口部の場所を容易に判別でき、足を通し易くなるとともに、足の指が引っ掛かることもなくなる。また、紙おむつの脇部に伸縮力が付与されていないため、容易に手で脇部を掴んで引き上げることができるとともに、使用後に下げ降ろし易くなるため着脱が容易となる。さらに、脇部では伸縮力が付与されていないため、跡付き等のスキントラブルも解消されるようになる。
【００１１】
なお、前記腰回り弾性部材及び脚回り弾性部材による伸縮性が付与されていない領域においては、仮に弾性部材が存在していても、これが紙おむつに対して伸縮力を作用させ得ない状態である場合、具体的には後述するように、カッターで細かく切断された状態、或いはホットメルト接着剤によって固定されておらず遊んでいる状態の場合には、本発明における「弾性部材」とは定義されないものとする。
【００１２】
請求項２に係る本発明として、前記腰回り弾性部材及び脚回り弾性部材による伸縮性が付与されていない領域は、前記接合部内縁から内方側に少なくとも１cm以上の範囲とする請求項１記載のパンツ型使い捨て紙おむつが提供される。
【００１３】
請求項３に係る本発明として、前記腰回り弾性部材及び脚回り弾性部材による伸縮性が付与されていない領域は、前記接合部内縁から内方側方向に最大でも脚開口部内側縁位置までの範囲とする請求項１、２いずれかに記載のパンツ型使い捨て紙おむつが提供される。
【００１４】
請求項４に係る本発明として、前記請求項１〜３いずれかに記載のパンツ型使い捨て紙おむつの製造方法であって、前記外装シートの製作時に、前記腰回り弾性部材及び脚回り弾性部材を前身頃および後身頃の両側縁部まで到達させて配設した後、伸縮性を与えない領域の弾性部材を切断することを特徴とするパンツ型使い捨て紙おむつの製造方法が提供される。
【００１５】
請求項５に係る本発明として、前記腰回り弾性部材及び脚回り弾性部材の切断は、突起部に切断部領域に対応させて多数の凸部が形成されたエンボスロールカッターと、対向ロールとの間に外装シートを挿入し、伸縮性を与えない領域において前記腰回り弾性部材及び脚回り弾性部材を前記凸部によって細かく切断するようにする請求項４記載のパンツ型使い捨て紙おむつの製造方法が提供される。
【発明の効果】
【００１６】
以上詳説のとおり本発明によれば、着用に当たり、ウエスト開口部を拡げ上側から脚開口部を見た時、脚開口部が大きく開口するようになるため、その位置が判別し易くなり足を通し易くなる。また、締め付け過ぎによる脇部での各種スキントラブルを解消し得るようになる。
【発明を実施するための最良の形態】
【００１７】
以下、本発明の実施の形態について図面を参照しながら詳述する。
図１は本発明に係るパンツ型使い捨て紙おむつの一部破断展開図であり、図２は図１のII−II線矢視図、図３は図１の前身頃側端部の要部拡大図である。
【００１８】
図１および図２に示されるように、本パンツ型紙おむつは、不織布などからなる透液性トップシート１１と、ポリエチレン等からなる防水フィルム１２とにより、綿状パルプなどからなる吸収体本体１３を含む構造の吸収性本体１０の外面側に外装シート２０が一体的に設けられた構造の紙おむつである。
【００１９】
前記吸収体本体１３は、図示例では広い面積の砂時計上の上側吸収体１３Ａと、若干狭い面積の長方形状の下側吸収体１３Ｂとを備え、これらがクレープ紙１３Ｃ、１３Ｄによって囲繞され、全体として変形が可能な半剛性の性質を有するもので、前記上側吸収体１３Ａおよび下側吸収体１３Ｂの内部には粉状の高分子吸収ポリマーが含有されている。
【００２０】
この吸収体本体１３の上面に対して、透液性トップシート１１がほぼ全面においてホットメルト接着剤により固定され、吸収体本体１３の下面に対して防水フィルム１２が同じくホットメルト接着剤により固定され、吸収性本体１０が構成されている。
【００２１】
前記吸収性本体１０の表面両側部にはギャザーシート３０，３０によって立体ギャザーＢ、Ｂが設けられている。
【００２２】
前記ギャザーシート３０は、図２に示されるように、ギャザー先端部を折返し線として二重に構成され、シートの基端部を吸収性本体１０の上面側部にホットメルト接着剤によって固定したもので、この二重に形成されたギャザーシート３０の内部には、高さ方向に複数本の、図示の例では６本の弾性部材３１，３１…が配設されている。このギャザーシート３０は、吸収性本体１０の前後端部では、起立部分が所定幅で外側に折り返され、透液性トップシート対向面がホットメルト接着剤によって接着されているとともに、折り返し点から先端までの面もホットメルト接着剤によって接着されている。前記ギャザーシート３０としては、極力透液性を低下させ体液の透過を防止するとともに、カブレを防止しかつ肌への感触性（ドライ感）を高めるために、シリコン系、パラフィン金属系、アルキルクロミッククロイド系撥水剤などをコーティングした撥水処理不織布を用いるのが望ましい。また、前記弾性部材３１としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。
【００２３】
前記吸収性本体１０に対しては、その外面側に一体的に外装シート２０が設けられている。この外装シート２０は、図２にも示されるように、内面用バックシート不織布２２と外面用バックシート不織布２１とをホットメルト接着剤によって貼り合わせたもので、周囲にフラップ部を形成するべく、前記吸収性本体１０よりも外形が大きく、全体として擬似砂時計状を成している。
【００２４】
この外装シート２０を構成している内面用バックシート不織布２２と外面用バックシート不織布２１との間には、紙おむつを着用者にフィットさせるとともに、尿や便の漏れを防止するために各種機能の弾性部材が介在され、ホットメルト接着剤によって固定されている。
【００２５】
具体的には、図１に示される展開形状において、前身頃Ｆの開口部および後身頃Ｂの開口部において、たとえば帯ゴムなどからなる、図示例では各８本のウエスト部弾性部材２３…、２４…がそれぞれ設けられている。
【００２６】
また、前身頃Ｆにおいては水平方向に沿って、例えば糸ゴムからなる複数本の、図示の例では１０本の腹側腰回り弾性部材２５，２５…が設けられている。また、後身頃Ｂにおいても水平方向に沿ってたとえば糸ゴムからなる複数本の、図示の例では１０本の背側腰回り弾性部材２６，２６…が設けられている。
【００２７】
一方、脚回り部位には、脚開口部に沿って１本または複数本の、図示の例では３本の脚回り弾性部材２７…、２８…が設けられている。これら脚回り弾性部材の配設態様としては、種々の形態が考えられるが、図示される配置態様は股間部において前記脚回り弾性部材が吸収体を横断して配設されている配置態様である。具体的には、一方の脚回りの前身頃Ｆ端側から股間部を巡って他方の脚回りの前身頃Ｆ端側に連続して配設された１または複数の、図示例では３本の脚回り第１弾性部材２７，２７…と、一方の脚回りの後身頃Ｂ端側から股間部を巡って他方の脚回りの後身頃Ｂ端に連続して配設された１または複数の、図示例では３本の脚回り第２弾性部材２８，２８…とから構成されている。
【００２８】
前記紙おむつは、図８に示されるように、略中央の折り畳みラインＬにて前身頃Ｆと後身頃Ｂを重ね合わせ、その両側縁部を熱シール、超音波溶接法等の溶着方法にて接合することによってウエスト開口部と左右一対の脚開口部が形成されたパンツ型に成形される。
【００２９】
本発明では特に、前記腰回り弾性部材２５…、２６…及び脚回り弾性部材２７…、２８…は、前記前身頃Ｆおよび後身頃Ｂの両側の接合部まで延長されておらず、前記接合部から内方側方向に所定幅の領域において前記腰回り弾性部材２５…、２６…及び脚回り弾性部材２７…、２８…による伸縮性が付与されていない構造となっている。
【００３０】
前記腰回り弾性部材２５…、２６…及び脚回り弾性部材２７…、２８…によって伸縮性を付与しないようにする方法としては、前記外装シート２０の製作時に、図１に示されるように、前記腰回り弾性部材２５…、２６…及び脚回り弾性部材２７…、２８…の終始端をそれぞれ、前記前身頃Ｆおよび後身頃Ｂの両側部まで到達させずに、伸縮させる領域にのみ当初から配設するようにすればよいが、現行の製造ラインのほとんどは、前記腰回り弾性部材２５…、２６…及び脚回り弾性部材２７…、２８…を、前記前身頃Ｆおよび後身頃Ｂの両側縁部まで到達させるようにしているため、設備をあまり変更せずに所定領域に伸縮性を付与しないようにするには、エンボスロールカッターにより非伸縮とする領域の弾性部材を細かく切断するようにすればよい。具体的には、図４及び図５に示されるように、突起部３２に切断部領域に対応させて多数の凸部が形成されたエンボスロールカッター３３と、対向ロール３４との間に外装シート２０を挿入し、伸縮性を与えない領域において前記腰回り弾性部材２５…、２６…及び脚回り弾性部材２７…、２８…を前記凸部によって細かく切断するようにする。図５に示されるように、紙おむつの脇部には細かく切断された弾性部材が存在することになるが、これら細かく切断された弾性部材は、紙おむつに対し伸縮力を与えることはなく、本発明の効果を阻害することはない。
【００３１】
他の方法としては、例えば図６に示されるように、前記腰回り弾性部材２５…、２６…及び脚回り弾性部材２７…、２８…を内面用バックシート不織布２２及び／又は外面用バックシート不織布２１にホットメルト接着剤で接着する際、伸縮力を与える領域にのみホットメルト接着剤をパターン塗布し、脇部の伸縮性を与えない領域において腰回り弾性部材２５…、２６…及び脚回り弾性部材２７…、２８…が遊んでいる状態としてもよい。紙おむつの脇部には遊んでいる状態の弾性部材が存在することになるが、これら弾性部材は、紙おむつに対し伸縮力を与えることはなく、本発明の効果を阻害することはない。
【００３２】
本発明に係るパンツ型使い捨て紙おむつにおいては、前記接合部から内方側方向に所定幅の領域において前記腰回り弾性部材２５…、２６…及び脚回り弾性部材２７…、２８…による伸縮性が付与されていないようにしたため、図７に示されるように、脚開口部Ｏの水平距離Ｌｗを大きく確保できるようになるため、着用に当たり、ウエスト開口部を拡げ上側から脚開口部Ｏを見た時に、脚開口部Ｏが大きく開口した状態となるため、脚開口部Ｏの場所を容易に判別でき、足を通し易くなるとともに、足の指が引っ掛かることもなくなる。また、紙おむつの脇部に伸縮力が付与されていないため、容易に手で脇部を掴んで容易に引き上げできるとともに、使用後に下げ降ろし易くなるため着脱が容易となる。さらに、脇部では伸縮力が付与されていないため、跡付き等のスキントラブルも解消されるようになる。
【００３３】
前記腰回り弾性部材２５…、２６…及び脚回り弾性部材２７…、２８…による伸縮性を付与しない範囲Ｓは、図７に示されるように、前記接合部内縁から内方側方向に少なくとも１cm以上の範囲（Ｓminの範囲）とするのが望ましく、最大でも前記接合部内縁から内方側方向に脚開口部Ｏの内側縁位置までの範囲（Ｓmaxの範囲）とするのが望ましい。
【００３４】
前記伸縮性を付与しない範囲Ｓが接合部内縁から１cm未満の範囲であると、本発明の所望する効果を得ることができない。また、脇部においても伸縮性が強く跡付き等のスキントラブルを解消することができない。一方、前記接合部内縁から内方側方向に脚開口部Ｏの内側縁位置を超えて非伸縮領域とすると、フィット性が損なわれるとともに、紙おむつのずり落ちを防止することができなくなってしまう。前記伸縮性を付与しない範囲Ｓのさらに好ましい範囲としては、大人用の製品の場合は接合部内縁から３〜１２cmの範囲、より好ましくは５〜８cmの範囲であり、ベビー用紙おむつの場合は接合部内縁から２〜８cm、より好ましくは３〜５cmの範囲である。
【００３５】
〔他の形態例〕
(1)上記製品例では吸収性本体１０と、前記腰回り弾性部材２５…、２６…及び脚回り弾性部材２７…、２８…とが重ならないように配置されているが、図９に示されるベビー用パンツ型使い捨て紙おむつの場合のように、両者は重なって配置されていてもよい（後身頃部分参照）。また、同図では前身頃において、吸収性本体１０との重なり部分において、腰回り弾性部材２５…を切断するようにした紙おむつを提案しているが、この場合でも同様に適用することができる。
(2)上記製品例では脚回り弾性部材の配置態様は、股間部において前記脚回り弾性部材が吸収体を横断して配設され、前身頃側の脚回り第１弾性部材２７と脚回り第２弾性部材２８とにより実質的に脚回りに沿って弾性部材が設けられた態様であるが、前記脚回り弾性部材を吸収体を横断させずに前身頃から後身頃にかけての脚回りに沿って脚回り弾性部材を配設する場合であってもよい。
(3)上記製品例における各種弾性部材２３〜２８の配置本数は、それぞれ製品の大きさに合わせて適宜増減してよい。
(4)上記形態例では、吸収体を含む吸収性本体と、この吸収性本体の外面側に一体的に設けられる外装シートとからなるパンツ型使い捨て紙おむつについて、本発明を適用した場合について述べたが、透液性表面シートと、バックシートとの間に吸収体が介在されたパンツ型使い捨て紙おむつの場合にでも、腰回り弾性部材及び脚回り弾性部材を備えている限り、同様に適用することが可能である。
(5)上記形態例では、前記腰回り弾性部材２５…、２６…及び脚回り弾性部材２７…、２８…による伸縮性を付与しない範囲Ｓをほぼ同じとしてあるが、両者はそれぞれ、伸縮性を付与しない範囲Ｓを異ならせてもよい。
【図面の簡単な説明】
【００３６】
【図１】本発明に係るパンツ型使い捨て紙おむつの一部破断展開図である。
【図２】図１のII−II線矢視図である。
【図３】図１の前身頃側端部Ｒ域の要部拡大図である。
【図４】(a)、(b)共にエンボスロールカッター３３と対向ロール３４とを示す説明図である。
【図５】脇部の非伸縮領域において、腰回り弾性部材２５…、２６…及び脚回り弾性部材２７…、２８…が細かく切断された状態を示す要部拡大図である。
【図６】脇部の非伸縮領域において、腰回り弾性部材２５…、２６…及び脚回り弾性部材２７…、２８…がホットメルト接着剤によって固定されていない状態を示す要部拡大図である。
【図７】本パンツ型紙おむつの簡略正面図である。
【図８】本パンツ型紙おむつの製品状態を示す斜視図である。
【図９】本発明の他の形態例に係る使い捨て紙おむつの一部破断展開図である。
【図１０】従来のパンツ型紙おむつを示す展開図である。
【図１１】従来のパンツ型紙おむつの簡略正面図である。
【符号の説明】
【００３７】
１０…吸収性本体、１１…透液性トップシート、１２…防水フィルム、１３…吸収体本体、１３Ａ…上側吸収体、１３Ｂ…下側吸収体、１３Ｃ・１３Ｄ…クレープ紙、２０…外装シート、２１…外面用バックシート不織布、２２…内面用バックシート不織布、２３・２４…腰回り弾性部材、２５…腹側腰回り弾性部材、２６…背側腰回り弾性部材、２７…脚回り第１弾性部材、２８…脚回り第２弾性部材、３０…ギャザーシート、３１…弾性部材、３３…エンボスロールカッター、３４…対向ロール
【図１】
2005278774.tif 000003
【図２】
2005278774.tif 000004
【図３】
2005278774.tif 000005
【図４】
2005278774.tif 000006
【図５】
2005278774.tif 000007
【図６】
2005278774.tif 000008
【図７】
2005278774.tif 000009
【図８】
2005278774.tif 000010
【図９】
2005278774.tif 000011
【図１０】
2005278774.tif 000012
【図１１】
2005278774.tif 000013